(57)【要約】【課題】本発明は、ドレンパンで受けたドレン水が吹出し口から吹出されることのないドレンパン構造をなし、快適性の向上化を得る空気調和装置を提供する。【解決手段】ユニット本体１内部を仕切り板６によって送風室Ａおよび熱交換室Ｂに区画し、送風室側に吸込み口２を備え、熱交換室側に吹出し口３を備え、送風室に送風装置Ｓを配置し、熱交換室に熱交換器５を配置し、熱交換器の下方部位にドレン受け７を配置し、上記ドレン受けの底部７ａは、熱交換器の熱交換空気導出側に設けられる第１の段部Ｘと、この第１の段部の熱交換空気上流側に設けられ熱交換器の下端部が直接載置される第２の段部Ｙと、この第２の段部の熱交換空気上流側に設けられる第３の段部Ｚとが連設されてなり、第２の段部は第１の段部よりも低く第３の段部よりも高く形成される。【選択図】      図２
2005164074.tif 000002
【特許請求の範囲】
【請求項１】
内部を仕切り板によって送風室および熱交換室に区画され、送風室側に吸込み口を備え、熱交換室側に吹出し口を備えたユニット本体と、
このユニット本体の上記送風室に配置され、吸込み口から室内の空気を吸込み上記仕切り板を介して熱交換室へ送風し吹出し口から室内へ送風する送風装置と、
上記ユニット本体の上記熱交換室に配置され、上記送風装置から送風される空気が導通することにより熱交換する熱交換器と、
この熱交換器の下方部位に配置され、冷凍サイクル運転にともなって生成されるドレン水を受けるドレン受けとを備えた空気調和装置において、
上記ドレン受けは、その底部が、上記熱交換器の熱交換空気導出側に設けられる第１の段部と、この第１の段部の熱交換空気上流側に設けられ上記熱交換器の下端部が直接載置される第２の段部と、この第２の段部の熱交換空気上流側に設けられる第３の段部とで構成され、上記第２の段部は、上記第１の段部よりも低く形成され、かつ上記第３の段部よりも高く形成されることを特徴とする空気調和装置。
【請求項２】
上記熱交換器は、両側端部に設けられる端板と、これら両側端板間に互いに狭小の間隙を存して並設される複数枚のフィンと、これら端板およびフィンを貫通して設けられる熱交換パイプとからなり、
上記両側端板の下端縁は、上記フィンの下端縁よりも高く形成されることを特徴とする請求項１記載の空気調和装置。
【発明の詳細な説明】
【技術分野】
【０００１】
本発明は、熱交換器から滴下するドレン水を受けるドレン受けを改良した、たとえば天吊り形の室内ユニットである空気調和装置に関する。
【背景技術】
【０００２】
室内ユニットと室外ユニットから構成される空気調和装置において、いわゆる壁掛け形の室内ユニットのように壁面から突出するものではなく、ほとんど天井板と密着状態にして取付けられ圧迫感を感じさせることのない天井吊り形の室内ユニットを備えた空気調和装置が多用されている。  
この種の室内ユニットは、筐体であるユニット本体の厚さ方向（高さ方向）の寸法を可能な限り短縮して、より圧迫感の少ない形状とする要求がある反面、幅方向（水平方向）には寸法的な制約が比較的少ない。そのため、天井面に沿った広い範囲から熱交換空気を吹出すことで、熱交換作用の効率向上化を図っている。
【０００３】
ここで用いられる室内熱交換器は、必要な熱交換面積を確保するとともに高さ寸法を可能な限り規制するために、たとえば［特許公報１］に示されているように、送風機側からユニット本体の吹出し口側に向かって所定の傾斜角度で傾斜している。そして、冷凍サイクル運転にともなって室内熱交換器から滴下するドレン水を受けるために、発泡ポリスチレン製のドレンパン（ドレン受け）が室内熱交換器の下部に設置されている。
【特許文献１】特開平１１−１０１４６２号公報
【発明の開示】
【発明が解決しようとする課題】
【０００４】
上述した［特許文献１］では、上記送風機と室内熱交換器との間の上記ドレンパン部位にドレンポンプが取付けられていて、ドレンパンに収集されたドレン水を吸上げて空気調和機本体外へ排出するようになっている。そのため、ドレンパン底部の断面形状は室内熱交換器の熱交換空気導出側（二次側）が高く、熱交換空気導入側（一次側）であるドレンポンプ取付け側が低くなるように漸次傾斜している。  
近年、ユニット本体の高さ寸法を極力短縮して、より薄型化が求められているところから、室内熱交換器の傾斜角度がより大になる一方で、ドレンパン底部の二次側から一次側に亘る傾斜角度がより小さく形成されている。そのため、ドレン水の生成量が多い状況下では、室内熱交換器の二次側にもドレン水が滞留してしまう。
【０００５】
上述したドレンパンでは、室内熱交換器を通過し二次側へ導出される熱交換空気によって、二次側に滞留するドレン水が吹き飛ばされる虞れがある。この場合は、二次側方向に設けられる吹出し口から室内へ吹出される熱交換空気にドレン水の水滴が混合し、室内に飛散して快適性が損なわれる。
【０００６】
本発明は、上記事情に着目してなされたものであり、その目的とするところは、ドレン水が吹出し口から吹出されることのないドレン受け構造をなし、快適性の向上化を得る空気調和装置を提供しようとするものである。
【課題を解決するための手段】
【０００７】
本発明は上述の目的を満足するためになされたものであり、ユニット本体は内部を仕切り板によって送風室および熱交換室に区画し、送風室側に吸込み口を備え、熱交換室側に吹出し口を備え、送風室に吸込み口から熱交換空気を吸込み仕切り板を介して熱交換室へ送風し吹出し口から室内へ送風する送風装置を配置し、熱交換室に送風装置から送風される熱交換空気が導通することにより熱交換する熱交換器を配置し、熱交換器の下方部位に冷凍サイクル運転にともなって生成されるドレン水を受けるドレン受けを配置し、このドレン受けの底部は、熱交換器の熱交換空気導出側に設けられる第１の段部と、この第１の段部の熱交換空気上流側に設けられ熱交換器の下端部が直接載置される第２の段部と、この第２の段部の熱交換空気上流側に設けられる第３の段部とで構成され、第２の段部は、第１の段部よりも低く、第３の段部よりも高く形成される。
【発明の効果】
【０００８】
本発明によれば、ドレン水が吹出し口から吹出されることのないドレン受け構造をなし、快適性の向上化を得るという効果を奏する。
【発明を実施するための最良の形態】
【０００９】
以下、図面を参照して本発明に係る空気調和装置の実施の形態について説明する。  
図１は空気調和装置を構成する室内ユニットの全体斜視図、図２は室内ユニットの断面図、図３は室内ユニットの内部構造を示す底面図、図４は室内ユニットの分解した斜視図、図５は室内ユニットの一側部の断面図である。
【００１０】
図中１はユニット本体であり、図示しない天井から吊り下げられた吊りボルトに引掛けられ天井面に極く近接した状態で取付けられる。このユニット本体１は、厚さ方向（高さ方向）寸法と比較して幅方向（水平方向）寸法が極めて大であることが特徴の一つとなっている。  
ユニット本体１は、下面を構成する底板部１ａと、吊り下げられた状態で天井と近接する上面を構成する天板部１ｂと、これら底板部１ａと天板部１ｂとを連結する左右一対の側板部１ｃおよび背面部１ｄとから構成される。上記側板部１ｃのみサイドカバー１ｅで覆われる。
【００１１】
底板部１ａには、底板部１ａの幅方向とは直交する前後方向の略半分程度の位置で、幅方向に沿いグリル１０とフィルタ１１が着脱自在に嵌め込まれる吸込み口２が設けられる。背面部１ｄと相対向する前面部は、水平ルーバ１３が開閉自在に取付けられた吹出し口３となっていて、この吹出し口３における水平ルーバ１３のさらに奥部には縦ルーバ１２が回動自在に取付けられている。  
ユニット本体１内部には仕切り板６が設けられる。この仕切り板６は、先に説明したグリル１０が嵌め込まれる吸込み口２の一側縁に沿って立設され、ユニット本体１の天板部１ｂに当接するように延出される。また、仕切り板６はユニット本体１を構成する左右の側板部１ｃに当接するように延出されるところから、ユニット本体１内は仕切り板６によって前後方向に二室Ａ，Ｂに区画されることになる。
【００１２】
ユニット本体１内部は仕切り板６を挟んで吸込み口２側に、送風装置Ｓおよび送風装置Ｓを駆動制御する電気部品箱１５等が配置収容される送風室Ａと、吹出口３側に室内熱交換器５が収容配置される熱交換室Ｂが形成されている。  
上記送風装置Ｓは、天板部１ｂに取付けられるモータ固定装置１９に固定支持され、両側面から回転軸１８が突出する、いわゆる二軸モータであるファンモータ１６を備えている。実際には、一方の回転軸１８に図示しないカップリングを介して連結軸が一体に連結されていて長尺状をなしている。送風装置Ｓは、ファンモータ１６のそれぞれの回転軸１８に嵌着される送風ファン４および、この送風ファン４に対して軸方向を除いて囲撓するファンケース１４とからなる。
【００１３】
ファンモータ１６はユニット本体１の長手方向中央部から一方向にずれた位置に配置され、この一側面から突出する一方の回転軸１８に１個の送風ファン４が取付けられる。ファンモータ１６の他側面から突出する実際には連結軸が連結されている長尺状の回転軸１８には、所定間隔を存して複数（ここでは３個）の送風ファン４が取付けられる。  
上記送風ファン４はいわゆる多翼ファンが用いられていて、回転にともなって軸方向から吸込んだ空気を周方向へ吹出すタイプのものである。連結軸が連結されている長尺状の回転軸１８は、軸受け具１７によって軸支される。上記軸受け具１７は、軸受け固定装置２０を介して天板部１ｂに取付けられる。したがって、ユニット本体１が所定部位に取付けられると、ファンモータ１６およびモータ固定装置１９と、軸受け具１７および軸受け固定装置２０は天板部１ｂから吊り下げ状態となる。
【００１４】
上記ファンケース１４の両側面は回転軸１８が貫通するとともに送風ファン４の両側面が露出する開口部が設けられ、送風ファン４の吸込み口体ｎをなす。ファンケース１４の周面には断面矩形状の開口部である吹出し口体ｍが一体に突設され、仕切り板６に設けられる同形状の開口部に嵌め込まれて熱交換室Ｂ側へ突出する。  
上記熱交換室Ｂには、上記室内熱交換器５と、この室内熱交換器５の下部に後述するドレン受け７が配置される。特に図２に示すように、上記室内熱交換器５は、ユニット本体１が上下方向寸法を極力短縮して形成されるため、上記吹出し口３に向かって極く傾いた状態で斜めにして配置される。
【００１５】
上記室内熱交換器５は、両側端部に端板５ｂを備え、これら両側端板５ｂ相互間に狭小の間隙を存して並設される複数枚のフィン５ａと、これら端板５ｂおよびフィン５ａを貫通して設けられる熱交換パイプ５ｃとから構成される。上記端板５ｂと、フィン５ａおよび熱交換パイプ５ｃともに伝熱特性の優れた素材が選択され、熱交換パイプ５ｃに対して端板５ｂとフィン５ａは密に接触状態にある。  
端板５ｂとフィン５ａの上端縁は互いに同一位置に揃えられているが、特に端板５ｂ下端縁がフィン５ａ下端縁よりも高く形成されることを特徴の一つとしている。換言すれば、室内熱交換器５の側面視は端板５ｂで覆われるが、フィン５ａの下端部のみが端板５ｂから露出している。
【００１６】
上記熱交換パイプ５ｃはフィン５ａの長手方向に沿って所定のピッチで、かつフィン５ａの幅方向に亘って複数列設けられている。そして、隣接列にある熱交換パイプ５ｃ相互が水平方向に完全に一致することのないよう、高さ位置を異ならせて設けられることも特徴の一つとしている。
【００１７】
上記ドレン受け７は、たとえば厚肉の合成樹脂材から形成されていて、斜めに傾けた室内熱交換器５から冷凍サイクル運転にともなって生成され滴下するドレン水滴の全てを受けられるように、熱交換室Ｂの底面のほとんど全部を占める面積に形成される。  
ドレン受け７は、上記室内熱交換器５下端部が直接載置される底部７ａと、この底部７ａの前面側である吹出し口３との隣接側に一体に突設される前壁部７ｂと、底部７ａの背面側に一体に突設される後壁部７ｃと、これら前壁部７ｂと後壁部７ｃを連結し底部７ａの両側部に一体に突設される側壁部７ｄから構成されるる。換言すれば、底部７ａの前後左右周部に沿って壁部７ｂ〜７ｄが突設され、ドレン受け７は断面皿状（凹陥状）をなしている。
【００１８】
上記前壁部７ｂと、側壁部７ｄおよび後壁部７ｃの上端面の位置が同一に揃えられ略水平に形成される一方で、後述する底部７ａの断面形状から高さ（深さ）寸法が互いに異なる。すなわち、ドレン受け底部７ａは前壁部７ｂ側から後壁部７ｃに向かう前後方向に亘って階段状に形成されることが特徴の一つとなっている。  
ドレン受け底部７ａをなお説明すると、前壁部７ｂ側が最も高い段状の第１の段部Ｘであり、この第１の段部Ｘに隣接して第１の段部Ｘよりも一段低い第２の段部Ｙが形成され、さらに第２の段部Ｙに隣接して後壁部７ｃ側に第２の段部Ｙよりも一段低く形成される第３の段部Ｚからなる。中央部の第２の段部Ｙを基準にしてみると、第２の段部Ｙは第１の段部Ｘよりも低く形成され、かつ第３の段部Ｚよりも高く形成される。
【００１９】
このように第１、第２、第３の段部Ｘ，Ｙ，Ｚは階段状をなすが、それぞれの段部はいずれも前後方向に亘って下方に傾斜形成されていて、それぞれの段部Ｘ，Ｙ，Ｚに直接滴下するドレン水は傾斜方向である後壁部７ｄへ円滑に導かれるようになっている。  
すなわち、第１の段部Ｘに滴下したドレン水は自動的に第２の段部Ｙへ導かれ、第２の段部Ｙに滴下したドレン水と第１の段部Ｘに滴下したドレン水は第３の段部Ｚに導かれる。最終的に、ドレン受け７に滴下した全てのドレン水は第３の段部Ｚに流れ込むようになっている。
【００２０】
上記室内熱交換器５の下端部は、第２の段部Ｙ上に載置される。先に説明したように、室内熱交換器５は互いに狭小の間隙を存して並設される複数枚のフィン５ａと、これらフィン５ａの両側部に端板５ｂが設けられていて、端板５ｂの下端縁はフィン５ａの下端縁よりも高く形成される。このことから、第２の段部Ｙにフィン５ａの下端縁が直接載り、端板５ｂの下端縁は第２の段部Ｙとある程度の間隙を存している。  
ドレン受け７の底部７ａで、後側端部である第３の段部Ｚにはドレンポンプが取付けられ、ドレン受け７に集溜するドレン水を、ドレン受け７に接続するドレンホース（いずれも図示しない）を介して排出するようになっている。
【００２１】
上記熱交換室Ｂ上部には室内熱交換器５の上端部を支持する上部断熱材８が設けられていて、室内熱交換器５の冷凍サイクル作用にともなう発熱（温熱・冷熱）がユニット本体１を形成する天板部１ｂに伝達しないように、上記ドレン受け７と同様、厚肉の断熱材から形成される。  
特に図４および図５に示すように、ドレン受け７の両側部を形成する両側壁部７ｄと上部断熱材８の両側部との間に亘って側面断熱材９が架設される。側面断熱材９の上端面は上部断熱材８に密に接し、側面断熱材９の下端面はドレン受け側壁部７ｅの上端面に密に接する。
【００２２】
なお説明すると、側面断熱材９はユニット本体１を構成する側板部１ｃ内面に一体に取付けられる。側板部１ｃの下端部は水平方向に折曲され、この水平折曲部２１ａから下方に垂直方向に折曲される嵌合部２１となっている。図５に示すような組立て状態よりも以前の個々の部品として、側面断熱材９の下端部は側板部１ｃ下端の折曲部２１ａよりも、図中二点鎖線で示すように僅かに（２〜３ｍｍ程度）下方へ突出している。
【００２３】
組立てにあたって、ドレン受け７の側壁部７ｄ外側面を側板部１ｃ下端の嵌合部２１に嵌め込む。なお、特に図２に示すように嵌合部２１は仕切り板６の下端部にも設けられていて、ここにはドレン受け７の後壁部７ｃが嵌め込まれる。  
再び図５に示すように、側面断熱材９の下端部がドレン受け側壁部７ｄ上端面に載り、折曲部２１ａから突出する部分が圧縮されて弾性変形する。したがって、ドレン受け７と側面断熱材９とが、互いに密に接する。側面断熱材９と上部断熱材８も互いに密に接するところから、これらの間から熱交換空気が漏れることがない。
【００２４】
全ての構成部品の組立てが終了し、製品として据付けられ、冷凍サイクル運転を行うとともに送風装置Ｓが駆動されると、室内空気が吸込み口２から吸込まれ送風室Ａと仕切り板６を介して熱交換室Ｂの室内熱交換器５へ吹付けられる。室内空気は室内熱交換器５を通過する際に熱交換し、縦ルーバ１２と水平ルーバ１３に案内されて吹出し口３から室内へ吹出される。このことから、室内の冷房作用もしくは暖房作用を得られる。
【００２５】
冷凍サイクル運転にともなって室内熱交換器５ではドレン水が生成され、水滴となってドレン受け７に滴下する。ドレン受け７は熱交換室Ｂのほとんど全部の面積を占めるように形成され、かつ室内熱交換器５はドレン受け底部７ａ上に載設されるので、全てのドレン水は確実にドレン受け７に受けられる。  
ドレン受け７は底部７ａ周囲を前壁部７ｂと後壁部７ｃと両側壁部７ｄとで囲まれており、ドレン受け７は断面凹陥状に形成されているので、ドレン水の生成量が極端に多くなってもドレン受け７からドレン水がオーバーフローすることはない。
【００２６】
ドレン受け底部７ａは、前壁部７ｂから後壁部７ｃ側に亘って第１の段部Ｘと、第２の段部Ｙおよび第３の段部Ｚとから形成され、しかもこれら段部Ｘ〜Ｚは順次下方に下がる階段状をなすので、ドレン受け底部７ａに滴下した全てのドレン水は確実に第３の段部Ｚに流れ込む。
【００２７】
その一方で、送風装置Ｓが駆動されて吸込み口２から吸込まれた室内空気が熱交換室Ｂへ吹出され、室内熱交換器５を流通する。室内熱交換器５はドレン受け底部７を形成する第２の段部Ｙ上に載り、第１の段部Ｘ側へ斜めに傾斜して配置されている。室内熱交換器５における熱交換空気導入側である一次側に第３の段部Ｚが設けられているので、この第３の段部Ｚに溜まったドレン水が熱交換空気の流れに載って二次側である第１の段部Ｘ側へ逆流することがない。
【００２８】
室内熱交換器５から第１の段部Ｘに滴下するドレン水がその傾斜に沿って直ちに第２の段部Ｙに導かれるので、室内熱交換器５の二次側には少しのドレン水も溜まることはなく、したがって熱交換空気に載って吹出し口３から室内へ吹出されることもない。上記ドレン受け７の形状構造を採用することにより、快適性の向上を得られる。  
室内熱交換器５を構成する端板５ｂの下端縁をフィン５ａの下端縁よりも高く形成し、フィン５ａの下端縁がドレン受け底部７ａ上に載るようにしたから、端板５ｂの下端縁がドレン受け底部７ａに集溜するドレン水にほとんど浸されずにすみ、腐蝕の発生要因にならずにすむ。
【００２９】
室内熱交換器５を構成する熱交換パイプ５ｃを、フィン５ａの幅方向に亘って複数列設け、隣接列にある熱交換パイプ５ｃ相互が水平方向に完全に一致することのないよう、高さ位置を異ならせたから、室内熱交換器５を導通する熱交換空気と各列の熱交換パイプ５ｃとの接触による熱交換作用が良好となり、伝熱効率の向上化を得られる。
【００３０】
予め、側面断熱材９の下端部を側板部１ｃ下端の折曲部２１ａよりも下方に突出して、ドレン受け７の側壁部７ｅ上端面に載せる組立てをなすから、側面断熱材９の折曲部２１ａから突出する部分が圧縮されて弾性変形して、ドレン受け７と側面断熱材９とが互いに密に接する。したがって、これら側面断熱材９とドレン受け７との間から熱交換空気が漏れることがなく、別途、特別なシール材を不要として確実にシール性を保持する。
【００３１】
側板部１ｃと仕切り板６の下端部に一体に嵌合部２１を形成して、ドレン受け７の両側壁部７ｄと後壁部７ｃを嵌合するようにしたから、組立て作業時におけるドレン受け７の位置決めが容易、かつ正確に行えて作業性の向上を図れる。  
なお、本発明のドレン受け７は上述の構成に限定されるものではなく、本発明の趣旨を越えない範囲内で種々変形実施が可能であり、本発明はこれらの全てを包含するものである。
【図面の簡単な説明】
【００３２】
【図１】本発明の一実施の形態に係る、空気調和装置を構成する室内ユニットの斜視図。
【図２】同実施の形態に係る、室内ユニットの断面図。
【図３】同実施の形態に係る、室内ユニットの内部構造の底面図。
【図４】同実施の形態に係る、室内ユニットの分解した斜視図。
【図５】同実施の形態に係る、室内ユニットの一部の断面図。
【符号の説明】
【００３３】
６…仕切り板、Ａ…送風室、Ｂ…熱交換室、２…吸込み口、３…吹出し口、１…ユニット本体、Ｓ…送風装置、５…室内熱交換器、７…ドレン受け、７ａ…（ドレン受けの）底部、Ｘ…第１の段部、Ｙ…第２の段部、Ｚ…第３の段部、５ｂ…端板、５ａ…フィン、５ｃ…熱交換パイプ。
【図１】
2005164074.tif 000003
【図２】
2005164074.tif 000004
【図３】
2005164074.tif 000005
【図４】
2005164074.tif 000006
【図５】
2005164074.tif 000007